(57)【特許請求の範囲】
【請求項１】
ボデーの先端部に吐水口の基端部がそれらの内部に挿入される接続部材を介して連結されるとともに、吐水口本体の先端には吐水ヘッドが着脱可能に設けられ、その吐水ヘッドには、前記吐水口本体及び前記ボデーの内部に挿通された可撓性ホースが連結され、前記吐水口本体の先端部の電気部品に接続された電線が前記ボデー及び吐水口本体内に通されるとともに、前記可撓性ホースと前記電線との間にガード部材が介在された水栓において、
前記ガード部材の前記接続部材側の端部に幅狭部が形成され、その幅狭部が前記接続部材内に挿入されるとともに、前記電線が前記幅狭部の外側面に位置しており、
前記ガード部材は、前記可撓性ホースが内部に挿通された筒状のものであり、
前記ガード部材は、その円周方向に延びるスリットを有し、前記幅狭部は、前記ガード部材の端縁と前記スリットとの間に位置する切欠きによって形成された水栓。
【請求項２】
前記吐水口本体は、湾曲形状を有する請求項１に記載の水栓。
【請求項３】
前記電気部品は、物体を非接触検出するセンサユニットである請求項１又は２に記載の水栓。
【発明の詳細な説明】
【技術分野】
【０００１】
本発明は、ボデーから延びる吐水口内に可撓性ホースと電線とを通した水栓に関するものである。
【背景技術】
【０００２】
特許文献１には、水栓が開示されており、その水栓においては、ボデーに対して湾曲形状の吐水口が回転スリーブを介して回転可能に支持されている。そして、吐水口の先端に吐水ヘッドが着脱可能に設けられ、その吐水ヘッドは、吐水口から引き出し可能な可撓性ホースの先端に連結されている。吐水口の先端部にはセンサが設けられ、そのセンサとキッチンキャビネットの内側のコントローラとの間を接続する電線が吐水口内に通されている。そして、可撓性ホースと電線との間にインナ部材が設けられ、このインナ部材により、可撓性ホースの出し入れにともなう可撓性ホースと電線との擦過が回避され、電線に対するダメージが防止される。
【０００３】
水栓の外観をスリムに保つために、前記回転スリーブは、吐水口より細く、吐水口及びボデーの内部に挿入されている。従って、回転スリーブの内径は吐水口及びボデーの内径より小径になっており、この小径の回転スリーブ内に前記可撓性ホース，インナ部材及び電線を通す必要がある。そして、このような状態においては、可撓性ホースの円滑な出し入れ移動を確保することは難しい。このため、特許文献１においては、前記インナ部材が、吐水口内に位置する湾曲形状の第１部分と、前記回転スリーブ内に位置するストレートな平板形状で幅狭の第２部分とに分割され、第１部分と第２部分とが接続されて構成されている。
【先行技術文献】
【特許文献】
【０００４】
【特許文献１】特開２００６−１４４３２６号公報
【発明の概要】
【発明が解決しようとする課題】
【０００５】
以上のように、前記特許文献１に記載の構成においては、インナ部材が第１部分と第２部分とに分割構成されているため、部品点数が増えて、構成が複雑になるばかりでなく、第１部分と第２部分とを位置合わせして接続することは手間がかかる。さらには、第２部分が回転スリーブと一体回転することを可能にするために、第２部分にスリップリングが一体形成されており、これによって第２部分の形状が複雑になって成形が困難になる問題点がある。
【０００６】
本発明の目的は、ボデーと吐水口との間の接続部材に電線を通すための構成を簡素化できる水栓を提供することにある。
【課題を解決するための手段】
【０００７】
上記の目的を達成するために、本発明においては、ボデーの先端部に吐水口の基端部がそれらの内部に挿入される接続部材を介して連結されるとともに、吐水口本体の先端には吐水ヘッドが着脱可能に設けられ、その吐水ヘッドには、前記吐水口本体及び前記ボデーの内部に挿通された可撓性ホースが連結され、前記吐水口本体の先端部の電気部品に接続された電線が前記ボデー及び本体内に通されるとともに、前記可撓性ホースと前記電線との間にガード部材が介在された水栓において、前記ガード部材の前記接続部材側の端部に幅狭部が形成され、その幅狭部が前記接続部材内に挿入されるとともに、前記電線が前記幅狭部の外側面に位置されたことを特徴とする。
【０００８】
以上の構成においては、ガード部材に幅狭部を形成するのみでよい。従って、部品点数が増えることはなく、簡単な構成を実現できる。
【発明の効果】
【０００９】
本発明によれば、ボデーと吐水口との間の接続部材に電線を通すための構成を簡素化できる効果がある。
【図面の簡単な説明】
【００１０】
【図１】水栓の斜視図。
【図２】水栓の断面図。
【図３】水栓のボデー部分の断面図。
【図４】水栓の分解斜視図。
【図５】図３の５−５線断面図。
【図６】図３の６−６線断面図。
【図７】図３の７−７線断面図。
【図８】図３の８−８線断面図。
【発明を実施するための形態】
【００１１】
以下に、本発明を具体化した実施形態を図面に従って説明する。
図１及び図２に示すように、グースネック水栓（以下、単に水栓という）１１のボデー１２は、その下端にねじを介して取り付けた接続体１２１によりキッチンキャビネットのカウンタ１３に固定されている。ボデー１２の側部には、吐止水の切換え、吐水量調節及び吐水温度調節の各操作を行なうためのレバーハンドル１４が設けられている。
【００１２】
図２及び図３に示すように、ボデー１２の上端には、湾曲形状の吐水口１５が接続部材としての回転スリーブ１７を介して水平面内において回転可能に支持されている。回転スリーブ１７は、吐水口１５の吐水口本体１６の基端に挿入固定されており、この回転スリーブ１７が低摩擦リング１８及びオーリング１９を介してボデー１２の上端開口に対して回転可能に挿入支持されている。なお、回転スリーブ１７に設けた切欠き（図示しない）とボデー１２に設けた突起（図示しない）との係合により、吐水口１５の回転が所定範囲（例えば、左右に９０度ずつ）に規制される。
【００１３】
図２及び図４に示すように、吐水口本体１６の先端開口には、吐水ヘッド２１が着脱可能に取り付けられている。前記吐水口本体１６には、金属製の可撓性ホース２４の先端が連結され、その可撓性ホース２４は、前記吐水口本体１６，回転スリーブ１７及びボデー１２内を通り、前記カウンタ１３の下部において迂回状態に弛みを持たせた余長部（図示しない）となり、さらに、ボデー１２の吐水管２２に接続されている。そして、吐水ヘッド２１が吐水口本体１６から外されることにより、可撓性ホース２４は、前記余長部からボデー１２内及び吐水口本体１６内を移動して外部に引き出される。なお、図２，図７等に示す５０は、水が供給される給水管、５１は湯が供給される給湯管を示す。
【００１４】
図１に示すように、吐水ヘッド２１の外側には、切換えボタン２３が設けられており、切換えボタン２３に対する切換え操作により、吐水ヘッド２１の先端からの吐水が通常（１本）吐水またはシャワー吐水に切換えられる。
【００１５】
図２及び図４に示すように、吐水口本体１６の先端部の上部側には、透孔２５が形成され、この透孔２５と対向する位置には電気部品としてのセンサユニット２６が設けられており、このセンサユニット２６の透光性のケース２７の内部のセンサ２８により水栓使用者の人体等の物体が検出されて、コントローラ（図示しない）の作用により、吐止水が切換えられる。このコントローラは、前記カウンタ１３の下側に設けられており、前記センサ２８とコントローラとの間の電線２９は、吐水口本体１６，回転スリーブ１７及びボデー１２内を通っている。
【００１６】
図２及び図４に示すように、前記回転スリーブ１７とセンサユニット２６のケース２７との間において、吐水口本体１６の内部には、ガード部材としてのホースガイド３１が挿入されている。このホースガイド３１は、吐水口本体１６の湾曲に従って湾曲されている。また、ホースガイド３１は、一枚の帯状の合成樹脂板をその幅端部が重なるように丸めたものであって、その重なった部分が湾曲の外径側に位置するとともに、内径側には複数のスリット３２が等間隔をおいて形成されている。そして、ホースガイド３１の内部に前記可撓性ホース２４が挿通されるとともに、前記電線２９がホースガイド３１の外側に位置して、電線２９と可撓性ホース２４とが接触しないようになっている。
【００１７】
図３〜図５に示すように、ホースガイド３１の基端部において、すなわち回転スリーブ１７側の端部において、ホースガイド３１の右側（吐水口１５側からの正面視の右側）には、切欠き３３が形成されている。この切欠き３３の形成により、ホースガイド３１の基端部の左側には、幅狭部３４が形成されている。そして、この幅狭部３４が回転スリーブ１７内に挿入され、電線２９が幅狭部３４の外側面に通されている。
【００１８】
図３，図４及び図６に示すように、ボデー１２内には筒状の第１ガイド４１が設けられ、その内部には可撓性ホース２４が挿通されている。第１ガイド４１の上端部の左側には凹部４２が形成されるとともに、その凹部４２の下側の外側面には上下に延びる案内溝４３が形成されている。図３，図４及び図７に示すように、前記接続体１２１の中間部の段差４４の上部側において、その内部には第２ガイド４５が設けられ、図４，図７及び図８に示すように、段差４４の下部側には第３ガイド４６及び第４ガイド４７が上下に設けられている。前記第２ガイド４５の内部に第３ガイド４６の上端部が挿入されて、両者により前記案内溝４３に対向する案内間隙４８が形成されている。第４ガイド４７の外側面には前記案内間隙４８に対向する案内溝４９が形成されている。
【００１９】
そして、図２，図６〜図８に示すように、前記電線２９が第１ガイド４１の凹部４２の部分から前記案内溝４３，案内間隙４８及び案内溝４９によって案内されており、これによって、電線２９が可撓性ホース２４と接触しない位置に保持されている。なお、回転スリーブ１７と第１ガイド４１との間の間隔が狭いために、電線２９が第１ガイド４１の上端に当たると、同電線２９が小さな角度で屈曲するおそれがあるが、第１ガイド４１の上端には凹部４２が形成されているため、同電線２９が小さな角度で屈曲するおそれを抑えることができる。
【００２０】
本実施形態は、以下のように作用する。
吐水ヘッド２１を吐水口本体１６の先端から外して可撓性ホース２４とともに引き出す場合や、引き出された吐水ヘッド２１を吐水口本体１６に嵌める場合には、可撓性ホース２４が吐水口本体１６内を移動するが、その吐水口本体１６内においては、可撓性ホース２４と電線２９との間には、ホースガイド３１が存在するために、電線２９上を可撓性ホース２４が擦過されることはなく、電線２９にダメージが与えられることが防止される。
【００２１】
そして、ホースガイド３１の基端部の右側部に切欠き３３が形成されて、水栓１１を正面から見て左側に幅狭部３４が形成され、この幅狭部３４が回転スリーブ１７内に挿入されている。このため、回転スリーブ１７内において、幅狭部３４及び可撓性ホース２４が切欠き３３の厚み相当分だけ幅狭部３４の反対側の右側に変位できる。このため、ホースガイド３１の左側の外側において、電線２９を通すスペースＳが形成される。このため、回転スリーブ１７の内径が吐水口本体１６の内径より小径であっても、太く、内径の大きな回転スリーブ１７を用いることなく、電線２９を無理なく、可撓性ホース２４と接触することなく通すことができる。従って、可撓性ホース２４，ホースガイド３１及び電線２９を回転スリーブ１７内に無理なく通すことができる。
【００２２】
吐水口１５の左右の向きを変える場合には、ホースガイド３１の幅狭部３４が回転スリーブ１７内に挿入されているため、ホースガイド３１は、吐水口１５及び回転スリーブ１７と一体に回転され、吐水口１５を円滑に回すことができる。
【００２３】
本実施形態では、以下の効果を奏する。
（１）前記のように、回転スリーブ１７の内径が吐水口本体１６の内径より小径であっても、電線２９を無理なく、可撓性ホース２４と接触することなく通すことができる。従って、可撓性ホース２４が出し入れ方向に移動されても、電線２９に対してダメージが与えられることを防止でき、電線２９の耐久性を向上できる。また、回転スリーブ１７として太いものを使用する必要がないため、水栓の外観やデザイン性を損なうことがなく、スリムで高いデザイン性の水栓を実現できる。
【００２４】
（２）電線２９のダメージを防止するための構成は、ホースガイド３１に切欠き３３を形成しただけであるから、特許文献１の構成とは異なり、部品点数が増えることはなく、構成を簡素化できるとともに、組み付けが容易になる。しかも、幅狭部３４はホースガイド３１の一部で、ホースガイド３１に一体形成されているため、吐水口１５とホースガイド３１を一体に回転させることができ、従って、特許文献１のようなスリップリングは不要であり、よって、電線２９と可撓性ホース２４との接触を避けるための構成の複雑化を避けることができる。
【００２５】
（３）ホースガイド３１には、等間隔をおいてスリット３２が形成されているため、ホースガイド３１の端縁から任意の位置のスリット３２まで切れ目を入れれば、切欠き３３を容易に形成することができる。
【００２６】
（４）ホースガイド３１に切欠き３３を形成することにより、同部分に幅狭部３４が形成されるため、ホースガイド３１の組付けに際して、その幅狭部３４を回転スリーブ１７に容易に差し込むことができて、組付けを容易に行なうことができる。
【００２７】
（変更例）
本発明は、前記各実施形態に限定されるものではなく、以下のような態様で具体化することも可能である。
【００２８】
・ホースガイド３１として、スリット３２が形成されていないものを用いること。
・吐水口本体１６が湾曲形状ではなく、ストレート形状をなす水栓に本発明を実施すること。
【００２９】
・電気部品として、センサユニット２６に代えて、例えば、スイッチや手許ランプ等を装備すること。
【符号の説明】
【００３０】
１１…水栓、１２…ボデー、１５…吐水口、１６…吐水口本体、１７…回転スリーブ、２１…吐水ヘッド、２４…可撓性ホース、２６…センサユニット、２９…電線、３１…ホースガイド、３２…スリット、３３…切欠き、３４…幅狭部。
【図１】
0006769709.tif 000002
【図２】
0006769709.tif 000003
【図３】
0006769709.tif 000004
【図４】
0006769709.tif 000005
【図５】
0006769709.tif 000006
【図６】
0006769709.tif 000007
【図７】
0006769709.tif 000008
【図８】
0006769709.tif 000009